(57)【要約】      （修正有）【課題】基板アンテナと無線回路基板との機械的な接続強度を強化するための、基板アンテナと無線回路基板の接続構造を提供する。【解決手段】接続構造は、アンテナパターン１０を有する基板アンテナ１と、無線回路を有する無線回路基板３と、基板アンテナ１及び２のアンテナパターンの信号線側１０とアンテナパターン接地線側２０各々を無線回路基板に接続するための接続端子１１及び１２とを備える。各々の端子と、無線回路基板の半田パッドとが半田付けされている。【選択図】図１
0003159994.tif 000002
【実用新案登録請求の範囲】
【請求項１】
電波を送受信するアンテナと前記アンテナを介して送受信される電波信号を処理する無線回路基板の接続に係る構造において、
前記基板アンテナは、アンテナが形成された基板アンテナであって、前記基板アンテナの信号線側と接地線側を前記無線回路基板と接続するためのアンテナ接続端子と、前記無線回路基板との機械的な接続強度を強化するための1以上の強化用接続端子を備え、
前記無線回路基板は、前記アンテナ接続端子と強化用接続端子と接続する部位の各々に半田パッドを備えることを特徴とする、プリント基板上に形成された基板アンテナと無線回路基板との接続構造。
【考案の詳細な説明】
【技術分野】
【０００１】
本考案は、プリント基板にアンテナが形成された基板アンテナと無線回路基板の接続構造に関する。
【背景技術】
【０００２】
従来のアンテナは、同軸ケーブルを介して無線回路基板と接続するために、無線回路基板上に設けられた接続用パターンで同軸ケーブルと半田付けされていた（例えば、特許文献１）。
しかしながら、特許文献１に記載のアンテナは同軸ケーブルを無線回路基板上に設けられた接続用半田パッドで半田付けする構造であったため、同軸ケーブルの外周線と芯線とを、それぞれ別々に半田付けする必要があった。このため、半田付けに係る製造工程が複雑であった。また、この同軸ケーブルをアンテナと無線回路基板との間で引き回すために、筐体内にこの同軸ケーブルを引き回すためのスペースが必要であると共に、同軸ケーブルに係る電波信号の挿入ロスが無視できないという欠点があった。
これを解決する手段としては、プリント基板にアンテナが形成された基板アンテナの適用が考えられる。
【先行技術文献】
【特許文献】
【０００３】
【特許文献１】特開２００９−２１８８９７号公報
【考案の概要】
【考案が解決しようとする課題】
【０００４】
アンテナとして基板アンテナを適用した場合、無線回路基板と電気的に接続する信号線側と接地線側の２点の半田接続で、その基板アンテナを機械的に固定することになる。このために、例えば、この基板アンテナが実装された無線回路基板を筐体に組み込む際に、機械的なショックで基板アンテナが脱落する恐れがあった。
そこで、本考案の課題は、アンテナとして基板アンテナを適用すると共に、基板アンテナと無線回路基板との機械的な接続強度を強化することにある。
【課題を解決するための手段】
【０００５】
上記課題を解決するために、本考案は、電波を送受信するアンテナと前記アンテナを介して送受信される電波信号を処理する無線回路基板の接続に係る構造において、前記基板アンテナは、アンテナが形成された基板アンテナであって、前記アンテナの信号線側と接地線側を前記無線回路基板と接続するためのアンテナ半田パッドと、前記無線回路基板との機械的な接続強度を強化するための１以上の強化半田パッドを備え、前記無線回路基板は、前記アンテナ半田パッドと強化半田パッドと接続する部位の各々に半田パッドを備えることを特徴とする。
【考案の効果】
【０００６】
基板アンテナと無線回路基板との機械的な接続強度の強化が可能になる。しかも、前記無線回路基板との機械的な接続強度を強化するための強化半田パッドの数は任意であり、必要な強度に応じて自由に強化半田パッドの数を設定できるという強度設計の自由度が向上する。また、従来必要であったアンテナと無線回路基板を接続する同軸ケーブルを除去できるので、同軸ケーブルに係る電波信号の挿入ロスが無く、筐体内にこの同軸ケーブルを引き回すためのスペースが不要となる。
【図面の簡単な説明】
【０００７】
【図１】本考案による一実施例を示す基板アンテナ図（表面）である。
【図２】本考案による一実施例を示す基板アンテナ図（裏面）である。
【図３】本考案による一実施例を示す無線回路基板図である。
【考案を実施するための形態】
【０００８】
ダイポールアンテナ等をプリント基板上にパターンとして形成し、基板の端面に信号線側と接地線側各々の端子を形成する（図１参照）。また無線回路基板側に半田パッドを設け、基板アンテナの信号線側と接地線側を各々の半田パッドに同時に挿入し半田フローすることにより、実装の簡略化が可能である。
【０００９】
以下、図面を参照して本考案の実施の形態について詳細を説明する。
図１は本考案による一実施例を示す基板アンテナ図の表面から見た図である。１０はダイポールアンテナパターンの信号線側パターンである。１１は無線回路基板と接続するための接続端子（信号線側）であり、１２は同じく接続端子（接地線側）である。１３，１４，１５，１６は同じく接続端子（強化用）である。
【００１０】
図２は本考案による一実施例を示す基板アンテナ図の裏面から見た図である。２０はダイポールアンテナパターンの接地線側パターンである。
【００１１】
図３は本考案による一実施例を示す無線回路基板の図である。３１は基板アンテナの接続端子（信号線側）１１を半田付け接続するための半田パッド（信号線側）である。３１は同じく接続端子（接地線側）１２を半田付け接続するための半田パッド（接地線側）である。３３，３４，３５，３６は同じく接続端子（強化用）を半田付け固定するための半田パッド（強化用）である。
【実施例１】
【００１２】
そこで、本考案による一実施例を説明する。
図１及び図２の基板アンテナを図３の無線回路基板に挿入し、半田フローをすることにより容易に実装することができる。また、強化用端子があるため基板アンテナと無線回路基板との機械的な接続強度の強化が可能になる。しかも、前記無線回路基板との機械的な接続強度を強化するための強化用半田パッドの数は任意であり、必要な強度に応じて自由に強化半田パッドの数を設定できるという強度設計の自由度が向上する。また、従来必要であったアンテナと無線回路基板を接続する同軸ケーブルを除去できるので、同軸ケーブルに係る電波信号の挿入ロスが無く、筐体内にこの同軸ケーブルを引き回すためのスペースが不要となる。  
【符号の説明】
【００１３】
１    基板アンテナ（表面）
２    基板アンテナ（裏面）
３    無線回路基板
１０  アンテナパターン（信号線側）
１１  接続端子（信号線側）
１２  接続端子（接地線側）
１３、１４、１５、１６  接続端子（強化用）
２０  アンテナパターン（接地線側）
３１  半田パッド（信号線側）
３２  半田パッド（接地線側）
３３、３４、３５、３６  半田パッド（強化用）
【図１】
0003159994.tif 000003
【図２】
0003159994.tif 000004
【図３】
0003159994.tif 000005
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
電波を送受信するアンテナと前記アンテナを介して送受信される電波信号を処理する無線回路基板の接続に係る構造において、
前記アンテナは、アンテナが形成された基板アンテナであって、前記基板アンテナの信号線側と接地線側を前記無線回路基板と接続するためのアンテナ接続端子と、前記無線回路基板との機械的な接続強度を強化するための１以上の強化用接続端子を備え、
前記無線回路基板は、前記アンテナ接続端子と強化用接続端子と接続する部位の各々に半田パッドを備えることを特徴とする、プリント基板上に形成された基板アンテナと無線回路基板との接続構造。
【手続補正２】
【補正対象書類名】明細書
【補正対象項目名】０００５
【補正方法】変更
【補正の内容】
【０００５】
上記課題を解決するために、本考案は、電波を送受信するアンテナと前記アンテナを介して送受信される電波信号を処理する無線回路基板の接続に係る構造において、前記アンテナは、アンテナが形成された基板アンテナであって、前記基板アンテナの信号線側と接地線側を前記無線回路基板と接続するためのアンテナ接続端子と、前記無線回路基板との機械的な接続強度を強化するための１以上の強化用接続端子を備え、前記無線回路基板は、前記アンテナ接続端子と強化用接続端子と接続する部位の各々に半田パッドを備えることを特徴とする。